(57)【要約】【課題】曲線で構成されている人体の体温保持の効果をあげるものであり、また、肩掛けやひざ掛けなどの多様なシーンで使用できるものであり、尚且つシンプルな構造で使う側に負担をかけない多様性のあるブランケットを提供することを目的とする。【解決手段】正方形の基礎部を有し、基礎部の連続する２辺の一方に正方形又は長方形の短翼部を有し、もう一方に長方形の長翼部を有し、Ｌ字型の一枚のシート状の布又は不織布又はアルミ蒸着布で構成され、更に、基礎部の一辺は、第七頸椎から尾骨までをカバーする長さを有し、基礎部から続く平行する２本の短翼部の辺は基礎部の一辺の長さに等しいか、またはそれ以上の長さを有し、長翼部の長辺は、後ろ首周りをカバーする長さと基礎部から続く平行する２本の短翼部の辺の長さを合計した長さを有するブランケットとする。【選択図】図１
0003207250.tif 000002
【実用新案登録請求の範囲】
【請求項１】
正方形の基礎部を有し、基礎部の連続する２辺の一方に正方形又は長方形の短翼部を有し、もう一方に長方形の長翼部を有し、
Ｌ字型の一枚のシート状の布又は不織布又はアルミ蒸着布で構成され、
更に、基礎部の一辺は、第七頸椎から尾骨までをカバーする長さを有し、
基礎部から続く平行する２本の短翼部の辺は基礎部の一辺の長さに等しいか、またはそれ以上の長さを有し、
長翼部の長辺は、後ろ首周りをカバーする長さと基礎部から続く平行する２本の短翼部の辺の長さを合計した長さを有するブランケット。
【請求項２】
前記基礎部の短翼部側に接する二つの直角部のそれぞれの内角の端、
及び、
前記長翼部の２本の長辺のうちの短翼部に接する側の長辺と、長翼部の基礎部に接しない短辺とが交接する内角の端に、
留め具としてボタンを有する、請求項１に記載のブランケット。
【請求項３】
前記長翼部の２本の長辺のうちの短翼部に接しない長辺と長翼部の基礎部に接しない短辺との交点から、長翼部長辺側に向かって後ろ首周りの長さと、尚且つ、前記交点から長翼部短辺に向かって該短辺の１／２の長さとをもつ長方形のポケットを有する、請求項１または請求項２に記載のブランケット。
【考案の詳細な説明】
【技術分野】
【０００１】  本考案は、体温保持のために多様性をもたせたブランケットに関するものである。
【背景技術】
【０００２】  従来から、体温保持のために、肩掛け、マフラー、ひざ掛け等の繊維製品が利用されている。主に正方形、長方形が多く、その他、円形や変形型のものが存在する。【０００３】  ひざ掛け、巻きスカート、うつ伏せ枕、首枕などの機能を有している多機能ケットとしてはバックル付のものが提案されており、また、ひざ掛けとしては、落ちないひざ掛けや、椅子等に腰掛けた状態で使用しても冷気の侵入を防ぐことができるひざ掛け、立ち上がったり、体をねじったりすることへの工夫や、下肢、ひざの裏、ふくらはぎ部分まで温める工夫、及び保温のための発熱材を入れるためのポケットなどを配したものが提案されている（例えば、特許文献１〜４参照）。
【先行技術文献】
【特許文献】
【０００４】
【特許文献１】  実登３１９５０３７号公報
【特許文献２】  特開２０１５−１８３３４９号公報
【特許文献３】  実登３１９１０８９号公報
【特許文献４】  実登３０３１５２６号公報
【考案の概要】
【考案が解決しようとする課題】
【０００５】  特許文献１は、長方形状に形成されたケット本体にキルティングによる折り畳み線をもたせ、本体に収納ポケット、及び該収納ポケット内に長さの調整可能なバックル付ベルトを有し、ひざ掛け、巻きスカート、うつ伏せ枕、首枕などの機能を有している。しかし、基本構造が長方形であるため、曲線で構成されている人体に沿いにくく、防寒、体温保持という面で不十分であるという問題があった。また、バックルをもつ構造は、高齢者や指先に力が入りづらい人にとって操作に巧緻性が求められるという問題があった。
特許文献２の落ちないひざ掛けは、四角いひざかけの中央部分にファスナーをつけ二股にし、腰と足首にはマジックテープなどの留め具を配置することにより身体の動きに合わせることを可能にし、防寒力、防雨力向上、着脱を安易にし、動いてもずり落ちない形状としている。しかし、動いてもずり落ちない形状とはいえ、膝から下のふくらはぎ側への配慮が不足しているため防寒には不十分であるという問題があった。さらに、形状、留め具等により、使用方法がひざ掛け機能に限定されているという問題があった。
特許文献３は、膝から下のふくらはぎ側への防寒に対し配慮が見られるが、これも使用方法がひざ掛け機能に限定されているという問題があった。
特許文献４は、下腹部から両足を覆い着衣に係止するための係止具を設け、両足を捲回する機能を持ち、発熱材を内装する足元ポケットや、ひざ掛けの表面部にポケットを設けているが、係止具の操作に巧緻性が求められるという問題があった。また、係止具、及び足元ポケット等により、使用方法がひざ掛け機能に限定されているという問題があった。
そこで、本考案は、曲線で構成されている人体の体温保持の効果をあげるものであり、また、肩掛けやひざ掛けなどの多様なシーンで使用できるものであり、尚且つシンプルな構造で使う側に負担をかけない多様性のあるブランケットを提供することを目的とする。
【課題を解決するための手段】
【０００６】  上記の課題を解決するために、本考案によるブランケットは、正方形の基礎部を有し、基礎部の連続する２辺の一方に正方形又は長方形の短翼部を有し、もう一方に長方形の長翼部を有し、
Ｌ字型の一枚のシート状の布又は不織布又はアルミ蒸着布で構成され、
更に、基礎部の一辺は、第七頸椎から尾骨までをカバーする長さを有し、
基礎部から続く平行する２本の短翼部の辺は基礎部の一辺の長さに等しいか、またはそれ以上の長さを有し、
長翼部の長辺は、後ろ首周りをカバーする長さと基礎部から続く平行する２本の短翼部の辺の長さを合計した長さを有する。【０００７】  上記のブランケットにおいて、基礎部の短翼部側に接する二つの直角部のそれぞれの内角の端、
及び、
長翼部の２本の長辺のうちの短翼部に接する側の長辺と、長翼部の基礎部に接しない短辺とが交接する内角の端に、
留め具として、柔軟性のあるボタンを有していてもよく、留め具同士をつなぐものとして、別途環状の伸縮性のあるゴム状のものを利用してもよい。【０００８】  上記のブランケットにおいて、長翼部の２本の長辺のうちの短翼部に接しない長辺と長翼部の基礎部に接しない短辺との交点から、長翼部長辺側に向かって後ろ首周りをカバーする長さと、尚且つ、前記交点から長翼部短辺に向かって該短辺の１／２の長さとをもつ長方形のポケットを有していてもよい。
【考案の効果】
【０００９】  本考案によるブランケットは、以上に説明した構造をもつことで、背中側からの肩掛けとして、また、胸側からの肩掛けとして、更に、椅子に座った状態での足元の防寒のためのひざ掛けとして、多様なシーンで利用することができ、使用時には、短翼部と長翼部を重ね合わせることで保温効果を高め、更に、本体が身体からずれ落ちることの防止機能を有し、尚且つ、シンプルな構造で使う側に過度な負担をかけないという効果を奏する。
【図面の簡単な説明】
【００１０】
【図１】第１実施形態の本考案のブランケットの平面図である。
【図２】第１実施形態の本考案のブランケットを背中側から肩掛けとして使用する際の手順を示した説明図である。
【図３】第１実施形態の本考案のブランケットを胸側から背中側へかけて肩掛けとして使用する際の手順を示した説明図である。
【図４】第１実施形態の本考案のブランケットを就寝時の体温保持として使用する際の説明図である。
【図５】第１実施形態の本考案のブランケットを椅子に座った状態でひざ掛けとして使用する際の手順を示した説明図である。
【図６】第２実施形態の本考案のブランケットの平面図である。
【図７】第２実施形態の本考案のブランケットを背中側から肩掛けとして使用する際の手順を示した説明図である。
【図８】第２実施形態の本考案のブランケットを胸側から背中側へかけて肩掛けとして使用する際の手順を示した説明図である。
【図９】第２実施形態の本考案のブランケットを椅子に座った状態でひざ掛けとして使用する際の手順を示した説明図である。
【図１０】第３実施形態の本考案のブランケットの平面図である。
【図１１】第３実施形態の本考案のブランケットをポケット内に収納する際の手順を示した説明図である。
【考案を実施するための形態】
【００１１】  以下、図面を参照して、本考案の第１〜３実施形態に係るブランケットを説明する。図１〜１１において、斜線部はブランケットの表面を表し、白地部はブランケットの裏面を表す。
【００１２】＜第１実施形態＞
本考案の第１実施形態に係るブランケット１０を説明する。
図１は、本考案の実施例によるブランケット１０の平面図である。ブランケット１０は、正方形の基礎部を有し、基礎部の連続する２辺の一方に正方形の短翼部を有し、もう一方に長方形の長翼部を有する、Ｌ字型の一枚の布で構成される。更に、基礎部の一辺は、第七頸椎から尾骨までをカバーする長さを有し、基礎部から続く平行する２本の短翼部の辺は、基礎部の一辺の長さに等しい。長翼部の長辺は、後ろ首周りをカバーする長さと基礎部から続く平行する２本の短翼部の辺の長さを合計した長さを有する。Ｌ字構造は、左右どちらでも構わない。
日本人の成人男子の第７頸椎から尾骨までの長さの平均値は５６ｃｍである。また、後ろ首周りの長さの平均値をワイシャツの襟周りの１／２とした場合、２１ｃｍである。
第１実施形態のブランケット１０は、基礎部の正方形の一辺は６２ｃｍ（±５ｃｍ）、基礎部から続く平行する２本の短翼部の辺は基礎部の正方形の一辺と同じ長さ、長翼部の長辺は８５ｃｍ（±７ｃｍ）である。
従って、正方形である基礎部の対角線の長さは正方形の一辺の約１．４倍の長さを有するため８７ｃｍ（±７ｃｍ）となる。
第１実施形態のブランケット１０の基礎部の正方形の一辺は、第七頸椎から尾骨までをカバーする長さである。
第１実施形態のブランケット１０の長翼部の長辺は、後ろ首周りをカバーする長さと基礎部から続く平行する２本の短翼部の辺の長さを合計した長さである。
これらの寸法はあくまでも例示であって、使用者の体格に合わせて適宜選択することができる。基礎部から続く平行する２本の短翼部の辺は、基礎部の正方形の一辺長さ以上でもよい。
【００１３】  図２は、第１実施形態のブランケット１０を背中側から肩掛けとして使用する際の手順を示した説明図である。図２（ａ）は、ブランケット１０の短翼部２と長翼部３の交接点アを右耳の下部にあたる首元に配した状態を示す。図２（ｂ）は、図２（ａ）の状態から両腕を伸ばした状態を示す。この時、短翼部２と長翼部３は、両腕の長さをほぼ同寸でカバーすることができる。図２（ｃ）は、図２（ａ）の状態から、短翼部２と長翼部３を胸の前で重ねた状態を示す。
図２（ｃ）で示す通り、ブランケット１０によれば、使用者の両腕の動きを拘束することなく上半身全体を包み込み、首元、背中、肩周り、腕、脇の下周りの体温保持の効果をあげることができる。
【００１４】  図３は、第１実施形態のブランケット１０を胸側から背中側へかけて肩掛けとして使用する際の手順を示した説明図である。図３（ａ）は、ブランケット１０の短翼部２と長翼部３の交接点アを喉元あたりに配した状態を示す。図３（ｂ）は、図３（ａ）の状態から、短翼部２、長翼部３をそれぞれ左右の肩にかけ、背中側で短翼部２の上に長翼部３を重ねるように巻いた状態を示す。
図３（ｂ）で示す通り、背中側で短翼部２の上に長翼部３を重ねることでブランケット１０が身体からずれ落ちることを防止することができる。また、基礎部１の対角線の長さが、第七頸椎から尾骨までをカバーする長さの約１．４倍あるため、身体前面の喉元から膝部分までカバーする寸法を有しており、身体前面からの風をしっかりと防御することができ保温性を確保できる。
【００１５】  図４は、第１実施形態のブランケット１０を就寝時の体温保持として使用する際の説明図である。布団に仰臥位で寝る場合、図３で示した様に、基礎部１を胸側におき、短翼部２と長翼部３の交接点アを喉元あたりに配し、短翼部２、長翼部３をそれぞれ左右の肩にかけ、身体に密着させることで、掛布団と敷布団との間で肩、首周辺に生じる冷気を排除することができ、保温性を確保できる。さらに、基礎部１の対角線の長さが、第七頸椎から尾骨までをカバーする長さの約１．４倍あるため、肩、首周辺だけでなく、体幹部分の保温にも優れた効果を発揮することができる。
【００１６】  図５は、第１実施形態のブランケット１０を椅子に座った状態でひざ掛けとして使用する際の手順を示した説明図である。
図５（ａ）は、ブランケット１０の基礎部１を膝上からから足首の前面に配し、基礎部１に続く短翼部２は膝上から大腿部を覆い、尚且つ、大腿部で短翼部２を膝上側に折り返し大腿部を二重に温められるようにした状態を示す。図５（ｂ）は、図５（ａ）の状態から、更に基礎部１から続く長翼部３をふくらはぎ側にまわし状態を示す。図５（ｃ）は、図５（ｂ）の状態から、長翼部３をそのまま基礎部１の上に重ね、長翼部３の短翼部２に接する長辺と長翼部３の基礎部１に接しない短辺の交接する端布を、椅子座面と使用者の座面に密着する大腿部の間に挟み込んだ状態を示す。
図５（ｃ）で示す通り、長翼部３の短翼部２に接する長辺と長翼部３の基礎部１に接しない短辺の交接する端布を、椅子座面と使用者の座面に密着する大腿部の間に挟み込ませることにより、ブランケット１０が身体からずれ落ちることを防止することができ、大腿部、膝、ひざ下、ふくらはぎ、足首までカバーすることで、防寒、体温保持の効果を上げることができる。
【００１７】  以上の通り、本考案のブランケット１０は、Ｌ字型の一枚の布で構成されるシンプルな構造で、背中側からの肩掛けとして、胸側からの肩掛けとして使用することができ、また、椅子にすわった際、ふくらはぎ側もカバーできるひざ掛けとして用いることができ、防寒、体温保持の効果を上げることができる。
【００１８】＜第２実施形態＞
次に、図６〜図９を基に第２実施形態にかかるブランケット２０について説明を行う。
図６（ａ）は、第２実施形態のブランケット２０の平面図を示す。図６（ｂ）は、付属の環状の伸縮性のあるゴムを示す。
本実施形態のブランケット２０は、第１実施形態ブランケット１０の構造に加えて、短翼部２側に接する基礎部１の二つの直角部の内角の端、及び、長翼部３の短翼部２に接する長辺と長翼部３の基礎部１に接しない短辺の交接する内角の端に、留め具として、柔軟性のあるボタン４、５、６を有している。ボタン４、５、６は、別素材でも構わない。留め具同士をつなぐものとして、別途ゴム７を利用する。又は、環状の伸縮性のあるゴム状のものを利用してもよい。
【００１９】  図７は、第２実施形態のブランケット２０を背中側から肩掛けとして使用する際の手順を示した説明図である。
図７（ａ）は、ブランケット２０の基礎部１を背中側におき、短翼部２と長翼部３の交接点アを右耳の下部にあたる首元に配した状態を示す。図７（ｂ）は、図７（ａ）の状態から、短翼部２側に接する基礎部１の二つの直角部の内角の端の長翼部に接しない内角の端のウレタンボタン４と、長翼部３の短翼部２に接する長辺と長翼部３の基礎部１に接しない短辺の交接する内角の端のウレタンボタン６を、環状の伸縮性のあるゴム７でつなぎ留め使用する状態を示す。図７（ｃ）は、図７（ａ）の状態から、短翼部２側に接する基礎部１の二つの直角部の内角の端の長翼部に接する内角の端のウレタンボタン５と、長翼部３の短翼部２に接する長辺と長翼部３の基礎部１に接しない短辺の交接する内角の端のウレタンボタン６を、ゴム７でつなぎ留め使用する状態を示す。ウレタンボタンは、使用時の安全性、及び、操作性において、優れている。
環状の伸縮性のあるゴム７で留めることにより、２種類の留め方が可能であり、尚且つ、ブランケット２０が使用者の身体からずれ落ちることが防止される。
【００２０】  図８は、第２実施形態のブランケット２０を胸側から背中側へかけて肩掛けとして使用する際の手順を示した説明図である。
図８（ａ）は、ブランケット２０の短翼部２と長翼部３の交接点アを喉元あたりに配した状態を示す。図８（ｂ）は、図８（ａ）の状態から、短翼部２、長翼部３をそれぞれ左右の肩にかけ、背中側で短翼部２の上に長翼部３を重ねるように巻き、短翼部２側に接する基礎部１の二つの直角部の内角の端の長翼部に接しない内角の端のウレタンボタン４と、長翼部３の短翼部２に接する長辺と長翼部３の基礎部１に接しない短辺の交接する内角の端のウレタンボタン６を、環状の伸縮性のあるゴム７でつなぎ留めた状態を示す。
ウレタンボタン４とウレタンボタン６を環状の伸縮性のあるゴム７でつなぎ留めることにより、背もたれのない椅子でも、ブランケット２０が使用者の身体からずれ落ちることを防止することができる。
【００２１】  図９は、第２実施形態のブランケット２０を椅子に座った状態でひざ掛けとして使用する際の手順を示した説明図である。
図９（ａ）は、ブランケット２０の基礎部１を膝上からから足首の前面に配し、基礎部１に続く短翼部２は膝上から大腿部を覆い、尚且つ、大腿部で短翼部２を膝上側に折り返し大腿部を二重に温められるようにした状態を示す。図９（ｂ）は、図９（ａ）の状態から、更に基礎部１から続く長翼部３をふくらはぎ側にまわした状態を示す。図９（ｃ）は、図９（ｂ）の状態から、そのまま基礎部１の上に重ね、長翼部３の短翼部２に接する長辺と長翼部３の基礎部１に接しない短辺の交接する内角の端のウレタンボタン６を、短翼部２側に接する基礎部１の二つの直角部の内角の端の長翼部に接する内角の端のウレタンボタン５に、環状の伸縮性のあるゴム７でつなぎ留めた状態を示す。
ウレタンボタン６とウレタンボタン５を環状の伸縮性のあるゴム７でつなぎ留めることにより、ブランケット２０が身体からずれ落ちることを防止することができ、大腿部、膝、ひざ下、ふくらはぎ、足首までカバーすることで、防寒、体温保持の効果を上げることができる。
【００２２】  以上の通り、第２実施形態のブランケット２０は、第１実施形態の機能に加えて、基礎部１の短翼部２側に接する二つの直角部の内角の端４、５、及び、長翼部３の２本の長辺のうちの短翼部２に接する側の長辺と、長翼部３の基礎部１に接しない短辺の交接する内角の端６に、留め具として柔軟性のあるボタンを有することで、使用者の体型に対し、対応範囲を広げることができる。
【００２３】＜第３実施形態＞
次に、図１０、図１１を基に本考案の第３実施形態にかかるブランケット３０について説明を行う。
図１０は、第３実施形態の本考案のブランケット３０の平面図を示している。本実施形態のブランケット３０は、第１実施形態ブランケット１０の構造に加えて、長翼部３の２本の長辺のうちの短翼部２に接しない長辺と、長翼部３の基礎部１に接しない短辺の交点から、長翼部３の長辺上に後ろ首周りをカバーする長さ分の幅で、尚且つ、前記交点から長翼部３の短辺上に短辺の１／２の長さをもつ長方形のポケット８を有している。ポケット８の開き部分イは、ポケット８の長方形において、前記交点から長翼部３の短辺上の短辺の１／２の点に接する後ろ首周りの長さをもつ辺である。
【００２４】  図１１は、第３実施形態のブランケット３０をポケット８内に収納する際の手順を示した説明図である。図１１において、格子部は、ポケット８の内部を表す。
図１１（ａ）は、ブランケット３０の平面図を示している。図１１（ｂ）は、図１１（ａ）の短翼部２を基礎部１に折り返した状態を示す。図１１（ｃ）は、図１１（ｂ）の状態から、さらに、短翼部２と基礎部１の重なった２枚の布を、長翼部３と基礎部１の接線を境に長翼部３側に倒した状態を示す。図１１（ｄ）は、図１１（ｃ）の状態から、基礎部１、短翼部２、長翼部３が重なった正方形を、長翼部３の基礎部１に接しない短辺に向かって、ポケット８幅内で済むよう幅に注意して３つ折りにした状態を示す。図１１（ｅ）は、図１１（ｄ）の状態から、基礎部１、短翼部２、長翼部３が重なった長方形の本体３０を、ポケット８の開き部分を境にポケット８の後ろ側に折りたたみこみ、ポケット８の開き部分イから全体を裏返した状態を示す。
このようにポケット８を付けることで、ブランケット３０はポケット８のサイズに近しいクッション型にまとめることができる。
【００２５】  以上の通り、第３実施形態の本考案のブランケット３０は、第１実施形態の機能に加えて、付属品等を一切使用せずに、持ち運びや収納に便利なコンパクトな長方形のクッションにすることができ、枕、肘かけ等の緩衝アイテムとしても利用することができる。
【００２６】  以上の通り、本考案の一実施形態を説明したが、各実施形態における各構成及びそれらの組み合わせ等は一例であり、本考案の趣旨から逸脱しない範囲内で、構成の付加、置換及びその他の変更が可能である。また、本考案は実施形態によって限定されるものではない。
【００２７】  例えば、上述した第２実施形態と第３実施形態を組み合わせてもよい。
【符号の説明】
【００２８】１  ・・・基礎部
２  ・・・短翼部
３  ・・・長翼部
４、５、６・・・ボタン
７  ・・・ゴム
８  ・・・ポケット
１０、２０、３０  ・・・ブランケット
ア  ・・・短翼部と長翼部の交接点
イ  ・・・ポケットの開き部分
【図１】
0003207250.tif 000003
【図２】
0003207250.tif 000004
【図３】
0003207250.tif 000005
【図４】
0003207250.tif 000006
【図５】
0003207250.tif 000007
【図６】
0003207250.tif 000008
【図７】
0003207250.tif 000009
【図８】
0003207250.tif 000010
【図９】
0003207250.tif 000011
【図１０】
0003207250.tif 000012
【図１１】
0003207250.tif 000013